(57)【特許請求の範囲】
【請求項１】
製造時に装填された未露光の写真フイルムと、フイルム巻上げ操作によりシャッタチャージされ、シャッタボタンの操作によりシャッタレリーズを開始してシャッタ羽根を開閉させるシャッタ機構と、シャッタレリーズに連動してストロボ発光部を発光させるストロボ装置とを備えたレンズ付きフイルムユニットの検査方法であって、
前記ストロボ発光部の前面をストロボ検出器が組み込まれた遮光手段で覆って遮光する工程と、
撮影レンズの前方に配置されたレリーズ検出器によってシャッタ羽根の開閉を検出する工程と、
ストロボ検出器によってストロボ装置の発光を検出する工程と、
レリーズ検出器の検出信号からシャッタ羽根の開放時間Ｔ１を測定する工程と、
レリーズ検出器とストロボ検出器との検出信号により、シャッタ羽根の開放開始からストロボ発光部の発光開始までの時間Ｔ２とを測定する工程と、
時間Ｔ１が規定値内にあるか否かを判定する工程と、
時間Ｔ２が規定値内にあるか否かを判定する工程とを含むことを特徴とするレンズ付きフイルムユニットの検査方法。
【請求項２】
前記各工程を暗室内で行なうことを特徴とする請求項１記載のレンズ付きフイルムユニットの検査方法。
【請求項３】
製造時に装填された未露光の写真フイルムと、フイルム巻上げ操作によりシャッタチャージされ、シャッタボタンの操作によりシャッタレリーズを開始してシャッタ羽根を開閉させるシャッタ機構と、シャッタレリーズに連動してストロボ発光部を発光させるストロボ装置とを備えたレンズ付きフイルムユニットの検査装置であって、
前記ストロボ発光部の前面を覆って遮光する遮光手段に組み込まれ、該ストロボ発光部の発光を検出するストロボ検出器と、
撮影レンズの前方に配置されてシャッタ羽根の開閉を検出するレリーズ検出器と、
レリーズ検出器の検出信号からシャッタ羽根の開放時間Ｔ１を測定し、レリーズ検出器とストロボ検出器との検出信号により、シャッタ羽根の開放開始からストロボ発光部の発光開始までの時間Ｔ２とを測定し、時間Ｔ１が規定値内にあるか否かを判定し、時間Ｔ２が規定値内にあるか否かを判定するマイクロコンピュータとを備えたことを特徴とするレンズ付きフイルムユニットの検査装置。
【請求項４】
暗室内に設置したことを特徴とする請求項３記載のレンズ付きフイルムユニットの検査装置。
【発明の詳細な説明】
【０００１】
【発明の属する技術分野】
本発明は、レンズ付きフイルムユニットの検査方法及び検査装置に関し、更に詳しくは、ストロボ装置を内蔵したレンズ付きフイルムユニットの検査方法及び検査装置に関するものである。
【０００２】
【従来の技術】
予め未露光の写真フイルムが装填され、簡単な撮影機構が組み込まれたレンズ付きフイルムユニットが本出願人より製造販売されている。このようなレンズ付きフイルムユニットでは、撮影を行うごとに写真フイルムの巻き上げ操作を行い、この際の写真フイルムの移送を利用してシャッタチャージやフイルム巻止め，カウンタの歩進等を行っている。このようなレンズ付きフイルムユニットの中には、シャッタ機構のシャッタレリーズに連動してストロボ発光するストロボ装置が組み込まれているものもあり、屋内等でも手軽に撮影が行えるようになっている。
【０００３】
また、従来の１３５タイプのフイルムパトローネの代わりに、新規な配列のパーフォレーションを備えた写真フイルムと、この写真フイルムが収納されるプラスチック製のカートリッジ本体とからなるＩＸ２４０タイプのフイルムカートリッジが装填されたレンズ付きフイルムユニットも本出願人により製造販売されている。
【０００４】
上記写真フイルムには、カメラやレンズ付きフイルムユニットによって撮影が行われる撮影領域と、撮影が禁止されている露光禁止領域とが設けられている。パーフォレーションは撮影領域にのみ設けられており、写真フイルムの一方の端縁に沿って長い間隔と短い間隔とで交互に配列されている。そして、長い間隔で並んだパーフォレーションの間に１コマの撮影が行われ、短い間隔で並んだパーフォレーションが隣合うコマ間の間隔を決定する。そのため、フイルムカートリッジ用の写真フイルムは予備的なコマ等がなく、撮影可能な枚数が決められている。また、露光禁止領域は現像処理時に使用されるため、未露光の状態でカートリッジ本体内に巻き戻される。
【０００５】
上記レンズ付きフイルムユニットの製造工程では、写真フイルムの装填後にフイルム巻上げ検査等と一緒に、シャッタ速度等を測定するシャッタ機構の検査が行われる。
【０００６】
【発明が解決しようとする課題】
従来、ストロボ装置が内蔵されているレンズ付きフイルムユニットでは、シャッタ機構の検査とストロボ装置の検査とを別々に行っていた。これは、シャッタ羽根の開閉を検出する反射型フォトセンサーが、ストロボ装置の光に影響されるのを防止するためと、ストロボ光によって露光禁止領域が露光されてしまうのを防止するためである。しかしながら、シャッタ機構の検査とストロボ装置の検査とを別々に行うのは、レンズ付きフイルムユニットの製造効率を悪化させていた。
【０００７】
本発明は、上記問題点を解決するためのもので、ストロボ光の影響を防止して、一度のシャッタレリーズでシャッタ機構とストロボ装置との検査を行えるようにしたレンズ付きフイルムユニットの検査方法及び検査装置を提供することを目的とする。
【０００８】
【課題を解決するための手段】
上記問題点を解決するために、本発明の請求項１記載のレンズ付きフイルムユニットの検査方法は、ストロボ発光部の前面をストロボ検出器が組み込まれた遮光手段で覆って遮光する工程と、撮影レンズの前方に配置されたレリーズ検出器によってシャッタ羽根の開閉を検出する工程と、ストロボ検出器によってストロボ装置の発光を検出する工程と、レリーズ検出器の検出信号からシャッタ羽根の開放時間Ｔ１を測定する工程と、レリーズ検出器とストロボ検出器との検出信号により、シャッタ羽根の開放開始からストロボ発光部の発光開始までの時間Ｔ２とを測定する工程と、時間Ｔ１が規定値内にあるか否かを判定する工程と、時間Ｔ２が規定値内にあるか否かを判定する工程とから構成した。また、請求項２記載の検査方法は、請求項１記載の各工程を暗室内で行なうようにした。
【０００９】
請求項３記載のレンズ付きフイルムユニットの検査装置は、ストロボ発光部の前面を覆って遮光する遮光手段に組み込まれ、該ストロボ発光部の発光を検出するストロボ検出器と、撮影レンズの前方に配置されてシャッタ羽根の開閉を検出するレリーズ検出器と、レリーズ検出器の検出信号からシャッタ羽根の開放時間Ｔ１を測定し、レリーズ検出器とストロボ検出器との検出信号により、シャッタ羽根の開放開始からストロボ発光部の発光開始までの時間Ｔ２とを測定し、時間Ｔ１が規定値内にあるか否かを判定し、時間Ｔ２が規定値内にあるか否かを判定するマイクロコンピュータとから構成した。また、請求項４記載の検査装置は、暗室内に設置した。
【００１０】
【発明の実施の形態】
以下、添付した図面に従って本発明のレンズ付きフイルムユニットの検査方法及び検査装置についての説明を行う。図２は、本発明の検査方法によって検査されるレンズ付きフイルムユニット２の外観を示すものである。レンズ付きフイルムユニット２は、予めフイルムカートリッジが装填され各種撮影機構が組み込まれたユニット本体３と、このユニット本体３を部分的に覆うラベル４とから構成されている。
【００１１】
ユニット本体３の上面には、シャッタボタン６，カウンタ窓７が、前面にはファインダ８，撮影レンズ９，ストロボ充電ボタン１０，ストロボ発光部１１等が設けられている。また、背面側からは、１コマの撮影毎に回動操作される巻上げノブ１２が露呈されている。ラベル４は、裏面に接着剤が塗布されてユニット本体３の中央部分に巻かれるように貼付され、撮影レンズ９やファインダ８，カウンタ窓７等を外部に露呈させる開口が形成されている。
【００１２】
図３に示すように、ユニット本体３は、フイルムカートリッジ１４が装填される本体部１５と、この本体基部１５の前面に組み付けられる露光ユニット１６及びストロボ装置であるストロボユニット１７と、本体部１５の前面側及び背面側を覆うように組み付けられる前カバー１８及び後カバー１９とから構成されており、これらは爪係合によって着脱自在に組み立てられる。
【００１３】
フイルムカートリッジ１４は、プラスチック製のカートリッジ本体２１と、このカートリッジ本体２１内に収納される写真フイルム２２とから構成されている。カートリッジ本体２１内には、写真フイルム２２の一端が係止されるスプール２３が回転自在に組み込まれ、更にスプール２３の回転によって写真フイルム２２をカートリッジ本体２１から送り出すフイルム送出し機構が内蔵されている。また、写真フイルム２２がカートリッジ本体２１内に出入りするフイルム出入り口（図示せず）には、外部から回動されることによりフイルム出入り口を開閉する棒状の遮光蓋２５が組み込まれている。
【００１４】
図４に示すように、写真フイルム２２は、フイルム自由端部２２ａ，撮影領域２２ｂ，フイルム係止部２２ｃから構成されている。撮影領域２２ｂには、一方の側縁に沿ってサイズの異なった大小２個のパーフォレーション２７，２８が２種類の間隔で交互に配列されている。長い間隔のパーフォレーション２７，２８の間には、１コマの撮影画面２９が配置され、短い間隔のパーフォレーション２７，２８は、隣合う撮影画面間の間隔を決定している。各パーフォレーション２７，２８は、撮影画面２９に対応する数だけ設けられている。
【００１５】
フイルム係止部２２ｃは端部がスプール２３に係止されており、スプール２３は巻上げノブ１２に端部が係合される。写真フイルム２２は、１コマの撮影ごとに行われる巻上げノブ１２の回転操作によってスプール２３に巻き付けられ、カートリッジ本体２１内に巻き上げられる。フイルム自由端部２２ａとフイルム係止部２２ｃは現像処理時に使用されるため、撮影が行われない露光禁止領域となっている。そのため、フイルム自由端部２２ａとフイルム係止部２２ｃは、未露光の状態でカートリッジ本体２１内に巻き上げられる。
【００１６】
図示した写真フイルム２２は、一般のカメラに使用される写真フイルムに追加工を施してレンズ付きフイルムユニット用としたものである。カメラ用の写真フイルムとレンズ付きフイルムユニット用の写真フイルム２２との差異は、大パーフォレーション２７の大きさと、フイルム係止部２２ｃの範囲内に追加された初期チャージ用の小パーフォレーション２８ａである。カメラ用の写真フイルムでは、全てのパーフォレーションが小パーフォレーション２８と同じ大きさとなっており、フイルム係止部２２ｃ内にパーフォレーション２８ａは存在しない。
【００１７】
本体部１５の中央部には、前面側に組み付けられた露光ユニット１６から写真フイルム２２までの間の撮影光路を遮光する遮光筒３１が設けられている。この遮光筒３１の背面側には、写真フイルム２２への露光範囲を規定するアパーチャーと、写真フイルム２２の端縁に接触してガイドするフイルムレール３４（図６参照）とが形成されている。遮光筒３１の前面側には、撮影レンズ９を通過した被写体光を写真フイルム２２に導くための開口３２が形成されている。また、遮光筒３１の上方には、露光ユニット１６に組み込まれたスプロケットを写真フイルム２２に向けて露呈させるための開口３３が形成されている。
【００１８】
遮光筒３１を挟む両側には、製造段階でカートリッジ本体２１と、ロール状に巻かれた写真フイルム２２とがそれぞれ収納されるカートリッジ室３５とフイルムロール室３６とが一体に形成されている。カートリッジ室３５の上部には巻上げノブ１２が回転自在に組み付けられ、下面に形成された駆動軸がカートリッジ本体２１のスプール２３に係合される。そして、１コマの撮影ごとに図中反時計方向に回転操作されることにより、スプール２３に写真フイルム２２を巻き付け、カートリッジ本体２１内に収納していく。
【００１９】
図５に示すように、露光ユニット１６は、遮光筒３１の前面に着脱自在に組み付けられるベース部材３８に、シャッタ機構，フイルム巻止め機構，フイルムカウント機構等を構成する各種部品が組み付けられてユニット化されたものとなっている。また、これらの機構以外に、ベース部材３８の上面にはファインダ８を構成する対物レンズ３９ａ，接眼レンズ３９ｂが保持されている。
【００２０】
図６に示すように、ベース部材３８の前面側には、撮影レンズ９を保持するレンズカバー４０が組み付けられている。ベース部材３８の前面には、写真フイルム２２への露光を行う露光開口９５が形成されている。また、ベース部材３８とレンズカバー４０との間には、露光開口９５を開閉するシャッタ羽根９６が揺動自在に組み付けられている。このシャッタ羽根９６は、引戻しバネ９７によって露光開口９５を閉鎖する方向に付勢されている。
【００２１】
ベース部材３８の上面には、軸４３，４４，軸受け部４５が形成されている。軸４３には、シャッタ駆動レバー４６，レリーズバネ４７，カウンタ板４８が順に挿入される。軸４４には、係止バネ４９，係止レバー５０が順に挿入される。軸受け部４５には、カム部材５１が挿入される。これらの係止バネ４９，係止レバー５０，カム部材５１，後述するスプロケット，シャッタ羽根９６等からシャッタ機構が構成される。
【００２２】
軸受け部４５は下方まで穴が貫通されており、挿入されたカム部材５１の軸部５３は下方から突出される。突出された軸部５３にはスプロケット５４が係合され、スプロケット５４は遮光筒３１の上部の開口３３から写真フイルム２２に向けて露呈される。スプロケット５４の外周には、隣合うコマ間の間隔を決定する一対の大小パーフォレーション２７，２８に順次に噛合する一対の大小の歯５４ａ，５４ｂが回転対称で２対設けられている。そして、スプロケット５４は、１コマ分の写真フイルム２２がカートリッジ本体２１内に巻き上げられる際のフイルム移送に従動して図中反時計方向に半回転する。
【００２３】
カム部材５１は、上方から順に、二歯ギヤ５６，巻止めカム５７，チャージカム５８，付勢カム５９，そして軸部５３が一体に形成されたものとなっている。二歯ギヤ５６は、カウンタ板４８の外周に形成された歯４８ａに噛合する。カウンタ板４８の上面には撮影可能枚数を表す目盛りが記されており、二歯ギヤ５６は半回転でカウンタ板４８を一目盛り分だけ歩進させる。巻止めカム５７の外周には回転対称に配置された一対の溝５７ａが設けられており、半回転するごとに係止レバー５０が係合する。チャージカム５８は、回転対称で形成された一対の羽根形状の突起からなり、回転中にシャッタ駆動レバー４６を押圧してシャッタチャージさせる。
【００２４】
付勢カム５９は、１８０°の回転対称で形成された一対の突起からなり、ベース部材３８の上面に組み付けられた付勢バネ６１によって押圧される。写真フイルム２２にはパーフォレーションが連続的に設けられていないことから、スプロケット５４の歯５４ａ，５４ｂがパーフォレーション２７，２８のいずれとも噛合されない状態が発生してしまう。この状態のときに付勢カム５９が付勢バネ６１によって押圧されることにより、次のパーフォレーションに噛合できる位置までスプロケット５４が回転される。付勢バネ６１は、金属薄板を屈曲させた板バネとなっている。
【００２５】
シャッタ駆動レバー４６は、図中時計方向のチャージ位置と反時計方向のレリーズ完了位置との間で回動自在とされており、レリーズバネ４７によってレリーズ完了位置に向けて付勢されている。シャッタ駆動レバー４６には、チャージ位置に向けて回動するようにチャージカム５８に押圧される被押圧部４６ａと、チャージ位置にある際に係止レバー５０に係止される被係止突起４６ｂと、チャージ位置からレリーズ完了位置に回動する際にシャッタ羽根９６の突出部９６ａを蹴飛ばして揺動させ、露光開口９５を開放させる蹴飛ばし部４６ｃと、レリーズバネ４７の一端が係止されるバネ係止部４６ｄとが一体に形成されている。
【００２６】
係止レバー５０は、フイルム巻止めを行う図中時計方向の巻止め位置と、このフイルム巻止めを解除する反時計方向の巻止め解除位置との間で回動自在となっており、係止バネ４９によって巻止め位置に向けて付勢されている。係止レバー５０には、チャージ位置にあるシャッタ駆動レバー４６の被係止突起４６ｂを係止する係止突起５０ａと、シャッタボタン６の押圧に連動して巻止め解除位置に向けて押圧される被押圧部５０ｂと、巻上げノブ９の外周に噛合する係合爪５０ｃと、巻止めカム５７の溝５７ａに係合してロックするロック爪５０ｄとが一体に形成されている。
【００２７】
図７に示すように、露光ユニット１６のシャッタ機構がシャッタチャージ状態にある際には、係止レバー５０のロック爪５０ｄが巻止めカム５７の溝５７ａに係合してその回転をロックし、係止突起５０ａは被係止突起４６ｂに係合してシャッタ駆動レバー４６をチャージ位置で保持している。また、図示しないが、係止レバー５０の係合爪５０ｃは巻上げノブ９の外周に噛合してその回転をロックしている。
【００２８】
巻止め状態でシャッタボタン６が押圧されると、これに連動して係止レバー５０の被押圧部５０ｂが押圧され、係止バネ４９の付勢に抗して係止レバー５０は図中反時計方向の巻止め解除位置に向けて回動される。これにより、図８に示すように、シャッタ駆動レバー４６は係止レバー５０による保持が解除され、レリーズバネ４７の付勢によってレリーズ完了位置に向けて回動し、シャッタ羽根９６の突出部９６ａを蹴飛ばす。突出部９６ａが蹴飛ばされたシャッタ羽根９６は、引戻しバネ９７の付勢に抗して揺動して露光開口９５を開放し、再び引戻しバネ９７の付勢によって逆方向に揺動して露光開口９５を遮蔽する。また、係止レバー５０は、レリーズ完了位置に回動したシャッタ駆動レバー４６によって巻止め解除位置で保持される。
【００２９】
上記状態から巻上げノブ１２が回転操作されると、写真フイルム２２は矢印の方向に移送され、パーフォレーション２７に噛合したスプロケット５４とカム部材５１とが図中反時計方向に回転する。この回転中にスプロケット５４と写真フイルム２２とが噛合しなくなる期間があるが、この期間中には付勢バネ６１が付勢カム５９を押圧してスプロケット５４を従動方向に回転させるので、スプロケット５４は次のパーフォレーション２７，２８に噛合することができる。
【００３０】
ベース部材３８の上部には天板６３が組み付けられる。この天板６３は、穴６３ａで軸４３の上端を支持し、切欠６３ｂでカム部材５１の上端を支持する。また天板６３は全体が透明なプラスチックで形成されており、符号６４はカウンタ板４８の上面に記された目盛りを拡大表示するレンズとなっている。
【００３１】
ストロボ装置であるストロボユニット１７は、メインコンデンサ等の電気部品が取り付けられてストロボ回路が形成されたプリント基板６６と、このプリント基板６６に取り付けられて前カバー１８から露呈され、放電管や拡散板等から構成されてストロボ光を照射するストロボ発光部１１と、ストロボ回路の電源となる乾電池６７と、ストロボ充電ボタン１０の背後に配置されて押圧される充電スイッチ接片６８と、シャッタレリーズに連動してオンされるシンクロスイッチ６９とから構成されている。
【００３２】
ストロボ充電ボタン１０が押圧されると、このストロボ充電ボタン１０に押圧された充電スイッチ接片６８がプリント基板６６に接触し、ストロボユニット１７で充電が開始される。そして、シャッタボタン６が押圧されると、露光ユニット１６に組み込まれたシャッタ機構がシャッタレリーズし、揺動したシャッタ羽根９６がシンクロスイッチ６９をオンさせる。これにより、ストロボ発光部１１から被写体に向けてストロボ光が照射される。
【００３３】
前カバー１８は、本体部１５の前面に着脱自在に取り付けられる。この前カバー１８の上面には、一部を切り欠いて弾性自在に形成したシャッタボタン６が設けられている。このシャッタボタン６の下部には、シャッタボタン６が押圧された際に、露光ユニット１６の係止レバー５０の被押圧部５０ｂを巻止め解除位置に向けて押圧する押圧ロッド７１が一体に形成されている。
【００３４】
後カバー１９は、本体部１５の背面側に着脱自在に取り付けられて本体部１５の内部を光密に維持する。後カバー１９には、カートリッジ室３５とフイルムロール室３６との底面をそれぞれ遮蔽する底蓋７３，７４が一体に形成されている。これらの底蓋７３，７４は、後カバー１９に対して屈曲自在な薄肉部を介して連結されており、底蓋７３は使用後のレンズ付きフイルムユニット２からフイルムカートリッジ１４を取り出す際に開放される。更に、後カバー１９の内面側には、本体部１５のアパーチャー及びフイルムレールに対面するようにフイルム支持面１９ａが形成されている。
【００３５】
また、後カバー１９には、露光ユニット１６のシャッタ機構を外部から強制的にチャージ状態にする際に利用されるスリット７６が形成されている。図９に示すように、このスリット７６からは露光ユニット１６のシャッタ駆動レバー４６の一部分が露呈される。
【００３６】
シャッタ機構が非チャージ状態である際に、ユニット本体３の外側からスリット７６に棒状の治具７７を挿入してシャッタ駆動レバー４６のバネ係止部４６ｄに引っかけ、図１０に示すように、レリーズバネ４７の付勢に抗してシャッタ駆動レバー４６をチャージ位置である図中時計方向に向けて回動させる。すると、シャッタ駆動レバー４６の当接により巻止め解除位置にあった係止レバー５０が、係止バネ４９の付勢によって図中時計方向の巻止め位置に向けて回動する。これにより、シャッタ駆動レバー４６の被係止突起４６ｂの回動軌跡内に係止レバー５０の係止突起５０ａが入り込み、係止レバー５０によってシャッタ駆動レバー４６がチャージ位置で保持される。これにより、写真フイルム２２の巻き上げを行わずにシャッタチャージを行うことができる。
【００３７】
更に、現在発売されているレンズ付きフイルムユニット「写ルンですSuper Slim（商品名）」に採用されて公知であるため詳細な説明は省略するが、カートリッジ室３５の上面と、カートリッジ室３５と遮光筒３１との間には、底蓋７３の開放操作に連動してカートリッジ本体２１の遮光蓋２５を閉鎖する遮光蓋閉鎖機構が組み込まれている。
【００３８】
上記レンズ付きフイルムユニット２は、図１１に示すフローチャートに従って製造される。レンズ付きフイルムユニット２の製造ラインは、例えば、本体部１５を載置した状態で間欠に回転される回転テーブルの外周に複数の組立ステージを配置し、これらの組立ステージで回転テーブルが停止した際に、本体部１５に各部品が取り付けられてレンズ付きフイルムユニット２が完成する構成となっている。
【００３９】
回転テーブルの外周に配置された最初の第１ステージでは、回転テーブル上に配置されたパレットに、前面側が上向きになるように本体部１５が供給される。第２ステージでは、本体部１５のカートリッジ室３５の上部とカートリッジ室３５と遮光筒３１との間に遮光蓋閉鎖機構が組み付けられる。
【００４０】
第３ステージでは、本体部１５の遮光筒３１の前面に、別のラインで組み立てられた露光ユニット１６が組み付けられ、カートリッジ室３５の上面に巻き上げノブ１２が取り付けられる。更に、フイルムロール室３６の前面にストロボユニット１７が組み付けられ、乾電池６７がセットされる。
【００４１】
第４ステージでは、本体部１５の前面側に前カバー１８が組み付けられる。第５ステージは暗室内に配置されており、前面側が下向きになるように本体部１５の姿勢が変化され、背面側からカートリッジ本体２１とロール状に巻かれた写真フイルム２２とからなるフイルムカートリッジ１４が装填される。第６ステージでは、本体部１５の背面側に後カバー１９が取り付けられ、更に底蓋７３，７４が閉じられてユニット本体３が完成する。
【００４２】
組立直後のユニット本体３のシャッタ機構は、図９に示すように、シャッタ駆動レバー４６と係止レバー５０との係合が解除された非チャージ状態となっている。また、スプロケット５４は、小歯５４ｂがフイルムレール３４から突出される状態でセットされる。写真フイルム２２は、自由端部２２ａがアパーチャーに対向するように本体部１５に装填される。これにより、スプロケット５４は写真フイルム２２によって小歯５４ｂが押圧され、付勢バネ６１の付勢に抗して従動方向とは逆方向に回転され、小歯５４ｂがフイルムレール３４内に引っ込んで写真フイルム２２に当接している状態となっている。
【００４３】
レンズ付きフイルムユニット２は、シャッタ機構が上記状態のまま出荷される。ユーザーは、レンズ付きフイルムユニット２を購入して使用する際に、シャッタチャージを行うための初期巻上げ操作を行う。初期巻上げ操作によって写真フイルム２２が図中矢印方向に移送されると、初期チャージ用の小パーフォレーション２８ａがスプロケット５４の小歯５４ｂに対面する位置まで移動する。これにより、小歯５４ｂが付勢バネ６１の付勢によって小パーフォレーション２８ａに噛合し、その後は写真フイルム２２とスプロケット５４との噛合と、付勢バネ６１と付勢カム５９との作用によって、シャッタチャージ，フイルム巻止め，フイルムカウントが行われる。
【００４４】
完成したユニット本体３は、回転テーブルの回転によって第７ステージに搬送される。この第７ステージも暗室内に配置されており、露光ユニット１６に組み込まれているシャッタ機構と、ストロボユニット１７との検査が行われる。この検査は、図１２に示すフローチャートに従って行われる。
【００４５】
まずユニット本体３は、図１に示すようにパレット７９上に起立するように姿勢が変化され、位置決めされる。次に、撮影レンズ９の前面にシャッタ機構のシャッタレリーズを検出するレリーズ検出器８０が、またストロボ発光部１１の前面には遮光手段を備えたストロボ検出器８２が、シャッタボタン６の上部にはレリーズ用ソレノイドのプランジャー８３が、ストロボ充電ボタン１０の前面には充電用ソレノイドのプランジャー８４が、ユニット本体３の背面側にはシャッタチャージ用の治具７７がそれぞれ配置される。
【００４６】
これらのレリーズ検出器８０，ストロボ検出器８２，充電用ソレノイド，レリーズ用ソレノイド，治具７７は、マイクロコンピュータ８６によって制御され、また、適宜検出信号をマイクロコンピュータ８６に入力する。
【００４７】
ストロボ検出器８２は、金属またはプラスチック等で形成されたベース部８８に、例えば、遮光性能の高いモルトプレーン８９が取り付けられ、このモルトプレーン８９内にストロボ光を検出する光電センサー９０が組み込まれている。このストロボ検出器８２は、例えばエアシリンダやカム機構等によって移動自在とされており、検査時にはモルトプレーン８９をストロボ発光部１１に押し付けて変形させ、ストロボ発光部１１を包み込むような状態にしてストロボ光を外部に漏らさないようにする。光電センサー９０は、ストロボ光を検出した際に検出信号をマイクロコンピュータ８６に入力する。
【００４８】
レリーズ検出器８０は、撮影レンズ９の光軸に沿って、例えば写真フイルム２２を露光させないスポット状の赤外光を撮影レンズ９に向けて照射する照射部と、この照射部から照射された赤外光がシャッタ羽根９６によって反射するのを検出する受光部とを備えている。レリーズ検出器８０は、シャッタ羽根９６からの反射光を検出した際に、この検出信号をマイクロコンピュータ８６に入力する。
【００４９】
治具７７は、マイクロコンピュータ８６に制御された駆動機構９２によって、図９に示すように、後カバー１９のスリット７６に挿入され、シャッタ駆動レバー４６のバネ係止部４６ｄに当接する。更に駆動機構９２は、治具７７をスライドさせてシャッタ駆動レバー７６をチャージ位置に向けて回動させる。
【００５０】
これにより、図１０に示すように、シャッタ駆動レバー４６が図中時計方向のチャージ位置に向けて回動され、シャッタ駆動レバー４６の当接により巻止め解除位置にあった係止レバー５０が、係止バネ４９の付勢によって図中時計方向の巻止め位置に向けて回動する。係止レバー５０の回動によって、シャッタ駆動レバー４６の被係止突起４６ｂの回動軌跡内に係止レバー５０の係止突起５０ａが入り込み、係止レバー５０によってシャッタ駆動レバー４６がチャージ位置で保持される。シャッタ機構が強制的にシャッタチャージされると、駆動機構９２は治具７７をスリット７６から退避させる。
【００５１】
治具７７によるシャッタチャージが終了すると、マイクロコンピュータ８６は充電用ソレノイドを駆動してプランジャー８４を矢印方向に突出させ、ストロボ充電ボタン１０を押圧する。これにより、ストロボ充電ボタン１０の背後に配置された充電スイッチ接片６８がプリント基板６６に接触し、ストロボユニット１７はストロボ充電を開始する。本実施形態のユニット本体３に組み込まれているストロボユニット１７は、ストロボ充電ボタン１０が一度押圧されることにより充電が開始されるようになっているため、充電が完了するまでストロボ充電ボタン１０を押圧しておく必要がなく、すぐに充電用ソレノイドの駆動が停止される。
【００５２】
ストロボ充電が完了する規定時間後、マイクロコンピュータ８６はレリーズ用ソレノイドを駆動してプランジャー８３を突出させ、シャッタボタン６を押圧する。これにより、シャッタボタン６に一体に形成された押圧ロッド７１が係止レバー５０の被押圧部５０ｂを押圧し、係止レバー５０を巻止め解除位置に向けて回動させる。係止レバー５０による係合が解除されたシャッタ駆動レバー４６は、レリーズバネ４７の付勢によってレリーズ位置に向けて回動する。その際に、蹴飛ばし部４６ｃによってシャッタ羽根９６の突出部９６ａを蹴飛ばす。蹴飛ばされたシャッタ羽根９６は、揺動して撮影レンズ９から写真フイルム２２までの光路を開放する。また、シャッタ羽根９６は、ストロボユニット１７のシンクロスイッチ６９をオンさせ、ストロボ発光部１１からストロボ光を照射させる。
【００５３】
レリーズ検出器８０は、例えば充電用ソレノイドの駆動と同時にスポット状の赤外光を撮影レンズ９に向けて照射しており、シャッタレリーズ前のシャッタ羽根９６を検出して、この検出信号をマイクロコンピュータ８６に入力する。また、レリーズ検出器８０は、シャッタレリーズ後のシャッタ羽根９６を検出し、この検出信号をマイクロコンピュータ８６に入力する。
【００５４】
ストロボ検出器８２は、ストロボ発光部１１から照射されたストロボ光を光電センサー９０で検出し、この検出信号をマイクロコンピュータ８６に入力する。なお、ストロボ発光部１１はストロボ検出器８２のモルトプレーン８９によって覆われているので、ストロボ光が外部に漏れてレリーズ検出器８０に影響を及ぼしたり、写真フイルム２２を曝光させてしまうようなことはない。
【００５５】
図１３に示すように、マイクロコンピュータ８６は、シャッタレリーズが行われる前にレリーズ検出器８０から入力された検出信号と、シャッタレリーズ後にレリーズ検出器８０から入力された検出信号との二つの検出信号の間の時間Ｔ１、すなわちシャッタ速度を測定する。また、ストロボ発光部１１からのストロボ発光の確認を行う。更に、シャッタレリーズの開始からストロボ発光までの時間Ｔ２を測定する。そして、これらのＴ１，Ｔ２が規定時間内にあるか否かを比較して各ユニット本体３の合否を判定し、不合格となったユニット本体３を記憶する。
【００５６】
シャッタ機構及びストロボユニット１７の検査が終了すると、マイクロコンピュータ８６はレリーズ検出器８０，ストロボ検出器８２，充電用ソレノイド，レリーズ用ソレノイド，治具７７をユニット本体３から退避させる。
【００５７】
第７ステージでの検査が終了したユニット本体３は、回転テーブルの回転によって次の第８ステージに搬送されるが、検査が不合格となったユニット本体３は、この搬送途中で回転テーブル上から取り出される。不合格となったユニット本体３は、各部品に分解されてリユース、あるいは原材料としてリサイクルされる。第８ステージでは、ユニット本体３の外側にラベル４が貼着され、包装袋に包装されて出荷される。
【００５８】
なお、上記の実施の形態では、フイルムカートリッジが装填されるレンズ付きフイルムユニットを例に説明したが、本発明は、１３５タイプのフイルムパトローネを装填するレンズ付きフイルムユニットにも用いることができる。また、ストロボ発光部の遮光にモルトプレーンを用いたが、その他の遮光性能の高い材質を用いることもできる。更に、ユニット本体の前面に隙間無く密着してストロボ光が漏れるのを防止できれば、ゴムやプラスチック等を用いることもできる。また、ストロボ発光部を遮光するようにしたが、撮影レンズとレリーズ検出器とを遮光することもできる。
【００５９】
【発明の効果】
以上説明したように、本発明のレンズ付きフイルムユニットの検査方法及び検査装置は、内部にストロボ装置検査用の光電センサーが組み込まれた遮光手段でストロボ装置のストロボ発光部の前面を覆って、ストロボ光が外部に漏れるのを防止してからシャッタ機構及びストロボ装置の検査を同時に行うようにしたので、ストロボ光によるシャッタ機構の検査の影響と、ストロボ光による写真フイルムの露光とを防止することができる。
【００６０】
また、シャッタ機構とストロボ装置との検査を同時に行うことにより、シャッタ速度とストロボ発光のみだけでなく、シャッタレリーズ中のストロボ発光タイミングの検査も行うことができ、よりレンズ付きフイルムユニットの性能を向上させることができる。
【図面の簡単な説明】
【図１】シャッタ機構及びストロボユニットの検査の状態を示す外観斜視図である。
【図２】レンズ付きフイルムユニットの外観を示す斜視図である。
【図３】ユニット本体の構成を示す分解斜視図である。
【図４】フイルムカートリッジの構成を示す正面図である。
【図５】露光ユニットの構成を示す分解斜視図である。
【図６】露光ユニット内のシャッタ羽根を示す分解斜視図である。
【図７】チャージ状態にあるシャッタ機構を示す平面図である。
【図８】非チャージ状態にあるシャッタ機構を示す平面図である。
【図９】組立時のシャッタ機構の状態を示す平面図である。
【図１０】強制的にシャッタチャージがなされているシャッタ機構の状態を示す平面図である。
【図１１】レンズ付きフイルムユニットの製造工程を示すフローチャートである。
【図１２】シャッタ機構及びストロボユニットの検査の工程を示すフローチャートである。
【図１３】シャッタレリーズ及びストロボ発光のタイミングを示すタイミングチャートである。
【符号の説明】
２  レンズ付きフイルムユニット
３  ユニット本体
９  撮影レンズ
１１  ストロボ発光部
１４  フイルムカートリッジ
１５  本体部
１６  露光ユニット
１７  ストロボユニット
２１  カートリッジ本体
２２  写真フイルム
８０  レリーズ検出器
８２  ストロボ検出器
９６  シャッタ羽根
【図１】
0003639394.tif 000002
【図２】
0003639394.tif 000003
【図３】
0003639394.tif 000004
【図４】
0003639394.tif 000005
【図５】
0003639394.tif 000006
【図６】
0003639394.tif 000007
【図７】
0003639394.tif 000008
【図８】
0003639394.tif 000009
【図９】
0003639394.tif 000010
【図１０】
0003639394.tif 000011
【図１１】
0003639394.tif 000012
【図１２】
0003639394.tif 000013
【図１３】
0003639394.tif 000014